(57)【特許請求の範囲】
【請求項１】
略鍋型に形成され、その外周にオーバーフローパイプ１およびキャップ被着用係合部２が一体に突設された合成樹脂製のキャップ本体３と、
そのキャップ本体３の開口端に固定され、内面側に環状の弁座部４が形成された座板５と、
その座板５の前記弁座部４に開閉自在に着座される正圧弁６と、
前記キャップ本体３の内面に一端が着座され他端が前記正圧弁６に圧接される正圧弁付勢用のスプリング７と、
前記正圧弁６の中心に配置された負圧弁８と、
を具備し、ラジエータタンク９に突設された筒状給水口10にＯリング11を介して液密に嵌着され、その筒状給水口10の外周に突設された係止部12に前記キャップ被着用係合部２が係脱自在に係合され、
前記座板５の中心部内面に凹陥部13が形成され、その凹陥部13の中心部と前記負圧弁８の外面との間に負圧弁用スプリング14が配置され、その凹陥部13に連通孔15が設けられたラジエータキャップ。
【請求項２】
請求項１おいて、
前記キャップ本体３の開口端内面に座板係止部16が突設されると共に、その座板係止部16に整合する座板係合部17が座板５の内面に突設され、
前記キャップ本体３の外周にＯリング嵌着凹部18が形成されたラジエータキャップ。
【発明の詳細な説明】
【０００１】
【発明の属する技術分野】
本発明は、エンジン冷却水冷却用ラジエータのタンク上端に突設される筒状の給水口に着脱自在に係止されるラジエータキャップに関する。
【０００２】
【従来の技術】
ラジエータのタンク上端には、給水のために筒状のフィラネックが突設され、その外周にオーバーフローパイプが設けられている。また、フィラネックの首部上端には弁座が設けられ、そのフィラネックにはプレッシャーバルブを有する給水キャップが着脱自在に被着される。その給水キャップは、キャップ本体の中心部に上下動自在に加圧弁が取付けられ、その加圧弁がスプリングによって下方に付勢されている。また、その加圧弁の中心に負圧弁が配置されていた。
【０００３】
【発明が解決しようとする課題】
従来のラジエータタンクで合成樹脂製のものは、その上端部にフィラネックが一体に成形され、その外周にオーバーフローパイプが突設されている。このような樹脂成形体からなるフィラネックは、オーバーフローパイプの方向及び位置が金型成形の都合上制約され、自由にその方向及び位置を選ぶことが困難であった。さらに、フィラネックの首部構造が複雑で、その成形が面倒である欠点があった。
また、金属製のプレス成形品によるフィラネックは、その本体とオーバーフローパイプとを別個独立に製作し、両者を結合して、それをタンクにろう付けするものであり、それらの製作工数が多くなり面倒である欠点があった。
さらに、プレッシャーバルブを有するキャップ自体の部品点数が多く、その製作及び組立が面倒である欠点があった。
また、弁座とプレッシャーバルブの押圧面との圧着状況が、各キャップ毎に異なり易く、バルブの開弁圧力を正確に設定し難い欠点があった。そのため、フィラネック、およびプレッシャーバルブの精度を高める必要があり、コスト高となっていた。
そこで本発明は、係る課題を解決することを目的とする。
【０００４】
【課題を解決するための手段】
請求項１に記載の本発明は、略鍋型に形成され、その外周にオーバーフローパイプ１およびキャップ被着用係合部２が一体に突設された合成樹脂製のキャップ本体３と、
そのキャップ本体３の開口端に固定され、内面側に環状の弁座部４が形成された座板５と、
その座板５の前記弁座部４に開閉自在に着座される正圧弁６と、
前記キャップ本体３の内面に一端が着座され他端が前記正圧弁６に圧接される正圧弁付勢用のスプリング７と、
前記正圧弁６の中心に配置された負圧弁８と、
を具備し、ラジエータタンク９に突設された筒状給水口10にＯリング11を介して液密に嵌着され、その筒状給水口10の外周に突設された係止部12に前記キャップ被着用係合部２が係脱自在に係合され、
前記座板５の中心部内面に凹陥部13が形成され、その凹陥部13の中心部と前記負圧弁８の外面との間に負圧弁用スプリング14が配置され、その凹陥部13に連通孔15が設けられたラジエータキャップである。
【０００５】
請求項２に記載の本発明は、請求項１おいて、
前記キャップ本体３の開口端内面に座板係止部16が突設されると共に、その座板係止部16に整合する座板係合部17が座板５の内面に突設され、
前記キャップ本体３の外周にＯリング嵌着凹部18が形成されたラジエータキャップである。
【０００６】
【発明の実施の形態】
次に、図面に基づいて本発明の実施の形態につき説明する。
図１は本発明のラジエータキャップの縦断面図であって図２のＩ−Ｉ矢視図であり、図２は同平面図である。
このラジエータキャップは、キャップ本体３と座板５と正圧弁６とスプリング７と負圧弁８とを有する。キャップ本体３は略鍋型に形成され、その外周にオーバーフローパイプ１およびキャップ被着用係合部２が一体に突設された合成樹脂製のものである。キャップ被着用係合部２は、図１及び図２に示す如く直径線上に一対形成され、ラジエータタンク９の上端に突設された筒状給水口10の上端開口縁を抱持するように形成されている。即ち、筒状給水口10の上端外周には係止部12が突設され、その係止部12を抱持するようにキャップ被着用係合部２の横断面が逆Ｌ字状に形成されている。
なお、係止部12の下面側はカム面を構成し、そこにキャップ被着用係合部２が係止されることにより、両者間が締結される。
【０００７】
キャップ本体３の開口端内縁には環状の座板係止部16が一体形成され、そこに座板５の座板係合部17が嵌着されることにより、それが抜け止め固定される。キャップ本体３の開口端外周には嵌着凹部18が段付に形成され、そこにＯリング11が嵌入される。そしてそのＯリング11により、筒状給水口10の内面とキャップ本体３との間および座板５との間が液密に形成される。
次に、座板５は逆向きの帽子状の樹脂成形体からなり、その中央部の内面側に凹陥部13が形成されると共に、その凹陥の斜面に連通孔15が設けられる。そして凹陥部13の開口縁には、環状の弁座部４が形成されそこにパッキン20を介して正圧弁６が開閉自在に着座される。その正圧弁６にはスプリング７の下端が圧接し、スプリング７の上端がキャップ本体３の底面に圧接する。そしてこのスプリング７により、正圧弁６は常に座板５側に付勢されている。正圧弁６の中心には貫通孔が形成され、そこに負圧弁８が着脱自在に配置され、負圧弁用スプリング14を介して負圧弁８がパッキン20の中心孔に圧着されている。
【０００８】
【発明の作用・効果】
本発明のラジエータキャップは、その合成樹脂製のキャップ本体３にオーバーフローパイプ１が一体に突設形成されたものであるから、タンクを含めて成形が容易で、全体として部品点数の少ないものを提供できる。即ち、従来の樹脂製タンクのようにそのフィラネックにオーバーフローパイプを取付る必要がないため、タンクおよび筒状給水口10自体の成形が容易となる。そしてキャップ本体３の成形は、ラジエータタンク９に比べて比較的小さな部品であるため、そのオーバーフローパイプ１の一体形成が容易となり、全体として金型や製作工数が減少し、安価なラジエータキャップを提供できる。
また、キャップ本体３自体に正圧弁６および弁座部４が組み付けられているため、正圧弁６の開閉機構を正確に作動させることができ、開弁圧が安定し、信頼性の高いラジエータキャップを提供できる。
さらには、ラジエータタンク９の筒状給水口11を単純化することができる。
【０００９】
また、座板５の凹陥部13の中心部に負圧弁用スプリング14が配置され、それによって負圧弁８を付勢するように構成したから、ラジエータの稼働中に負圧弁８を正圧弁６に確実に着座させることができる。
請求項２に記載の発明によれば、キャップ本体３の座板係止部16に座板５の座板係合部17が係合し、キャップ本体３の外周に嵌着凹部18が設けられたものであるから、ラジエータキャップの各部品の組立が容易となる。
【図面の簡単な説明】
【図１】本発明のラジエータキャップの縦断面図であって図２のＩ−Ｉ矢視図。
【図２】同ラジエータキャップの平面図。
【符号の説明】
１  オーバーフローパイプ
２  キャップ被着用係合部
３  キャップ本体
４  弁座部
５  座板
６  正圧弁
７  スプリング
８  負圧弁
９  ラジエータタンク
10  筒状給水口
11  Ｏリング
12  係止部
13  凹陥部
14  負圧弁用スプリング
15  連通孔
16  座板係止部
17  座板係合部
18  嵌着凹部
20  パッキン
【図１】
0004273469.tif 000002
【図２】
0004273469.tif 000003